(57)【要約】【課題】光ディスク装置において、ユーザデータがクローズされていなくともＣＡＶ回転による再生を可能にし、かつ、光ヘッドの安定サーボを確保可能にする。【解決手段】光ディスクの再生開始位置から半径方向の後方側位置に所定幅以上の十分な記録済領域がある場合には、光ディスクをＣＡＶ回転の状態にする。また、前回の記録終了時から所定時間以上経過したときまたは再生開始後に所定時間が経過したときには、ＣＬＶ回転からＣＡＶ回転に切替える。【選択図】  図４
2004326928.tif 000002
【特許請求の範囲】
【請求項１】
光ディスクに対し情報の記録、再生のいずれか一方または両方を行う光ディスク装置であって、
上記光ディスクを回転駆動するディスクモータと、
再生時、上記光ディスクの再生開始位置から半径方向の後方側位置に所定幅以上の記録済領域があるか否かを判定し、該判定結果に基づき上記ディスクモータの回転を制御して上記光ディスクがＣＡＶ回転またはＣＬＶ回転の状態となるようにする制御部と、
を備え、上記判定の結果、上記所定幅以上の記録済領域があるとき、上記光ディスクがＣＡＶ回転状態とされることを特徴とする光ディスク装置。
【請求項２】
光ディスクに対し情報の記録、再生のいずれか一方または両方を行う光ディスク装置であって、
上記光ディスクを回転駆動するディスクモータと、
再生時、上記光ディスクの再生開始位置から半径方向の後方側位置にある記録済領域の大きさを判定し、該判定結果に基づき上記光ディスクのＣＡＶ回転状態またはＣＬＶ回転状態への切替え位置を制御する制御部と、
を備えたことを特徴とする光ディスク装置。
【請求項３】
光ディスクに対し情報の記録、再生のいずれか一方または両方を行う光ディスク装置であって、
上記光ディスクを回転駆動するディスクモータと、
再生時、上記光ディスクにおける前回の記録終了時から所定時間以上経過したか否かまたは再生開始後所定時間が経過したか否かを判定し、該判定結果に基づき上記ディスクモータの回転を制御し上記光ディスクがＣＡＶ回転またはＣＬＶ回転の状態となるように制御する制御部と、
を備え、上記判定の結果、所定時間以上経過したとされるとき、上記光ディスクがＣＡＶ回転状態とされることを特徴とする光ディスク装置。
【請求項４】
上記制御部は、上記光ディスクをいったんＣＬＶ回転状態としたときは、所定時間が経過した後にＣＡＶ回転状態に切替える構成である請求項１、２または３に記載の光ディスク装置。
【請求項５】
上記制御部は、上記光ディスクをＣＡＶ回転状態として再生動作時、後方側位置に所定幅以上の記録済領域がないときはＣＬＶ回転状態に切替える構成である請求項１、２または３に記載の光ディスク装置。
【請求項６】
光ディスクに記録された情報を再生する光ディスクの情報再生方法であって、
上記光ディスクの再生開始位置から半径方向の後方側位置に所定幅以上の記録済領域があるか否かを判定するステップと、
上記判定の結果に基づき、上記光ディスクをＣＡＶ回転状態にするステップと、
を経て、上記光ディスクの情報の再生を行うことを特徴とする光ディスクの情報再生方法。
【請求項７】
光ディスクに記録された情報を再生する光ディスクの情報再生方法であって、
上記光ディスクの再生開始位置から半径方向の後方側位置にある記録済領域の大きさを判定するステップと、
上記判定の結果に基づき、上記光ディスクのＣＡＶ回転状態またはＣＬＶ回転状態への切替え位置を制御するステップと、
を経て、情報の再生を行うことを特徴とする光ディスクの情報再生方法。
【請求項８】
光ディスクに記録された情報を再生する光ディスクの情報再生方法であって、
再生時、上記光ディスクにおける前回の記録終了時から所定時間以上経過したか否かまたは再生開始後所定時間が経過したか否かを判定するステップと、
上記判定結果に基づき上記ディスクモータの回転を制御し上記光ディスクがＣＡＶ回転状態とされるステップと、
を経て、情報の再生を行うことを特徴とする光ディスクの情報再生方法。
【発明の詳細な説明】
【０００１】
【発明の属する技術分野】
本発明は、光ディスク装置における情報の再生技術に関する。
【０００２】
【従来の技術】
本発明に関連した従来技術としては、例えば、特開平１０−９２１０２号公報（特許文献１）や特開２００２−４２４０７号公報（特許文献２）に記載されたものがある。特開平１０−９２１０２号公報には、線速度一定の回転で円盤状記録媒体に記録された情報を再生するとき、ピックアップの位置が円盤状記録媒体の所定の半径位置の切替点よりも内周側にあるか外周側にあるかで、ＣＬＶ（線速度一定）制御手段を有効にしたり、ＣＡＶ（回転数一定または角速度一定）制御手段を有効にしたりするように切替えて再生する技術が記載されている。また、特開２００２−４２４０７号公報には、ディスクに記録を行う場合に、ディスクの種類や記録状態を検出し、該検出結果に基づき該ディスクをＣＡＶまたはＣＬＶで回転駆動するように制御する技術が記載されている。
【０００３】
【特許文献１】
特開平１０−９２１０２号公報
【特許文献２】
特開２００２−４２４０７号公報
【０００４】
【発明が解決しようとする課題】
上記従来技術ではいずれも、後方側に十分な記録済領域が存在しない場合には、ＣＡＶでのシークを行ったとき、光ヘッドがオーバーランにより未記録領域に突入してサーボが外れるおそれがある。また、ユーザデータがクローズされていないとＣＡＶでの再生が不可能となる。
本発明の課題点は、上記従来技術の状況に鑑み、光ディスクの再生技術において、ユーザデータがクローズされていなくともＣＡＶでの再生を可能にすること、ＣＡＶでのシークを行ったときにも、光ヘッドの安定なサーボを確保できるようにすること等である。
本発明の目的は、かかる課題点を解決できる技術の提供にある。
【０００５】
【課題を解決するための手段】
上記課題点を解決するために、本発明では、基本的に、光ディスク装置において、（１）ユーザデータがクローズされていなくとも、再生時に、光ディスクの再生開始位置から半径方向の後方側位置に所定幅以上の記録済領域がある場合には、光ディスクをＣＡＶの回転状態にする。該記録済領域がない場合にはＣＬＶの回転状態にする。（２）上記記録済領域の大きさに応じてＣＡＶ回転状態またはＣＬＶ回転状態への切替え位置を制御する。（３）光ディスクにおける前回の記録終了時から所定時間以上経過したときまたは再生開始後所定時間が経過したときに、ＣＬＶ回転状態からＣＡＶ回転状態に切替える。該所定時間が経過していない場合は、後方側位置に所定幅以上の記録済領域がある場合であってもＣＬＶ回転状態とする。
【０００６】
【発明の実施の形態】
以下、本発明の実施例につき、図面を用いて説明する。
図１〜図４は本発明の実施例の説明図である。図１は、本発明の実施例としての光ディスク装置の構成例図、図２は、光ヘッドのディスク半径位置とディスク回転状態との関係を示す図、図３は、図２の各動作時の転送速度を示す図、図４は再生動作の手順の説明図である。
【０００７】
図１において、１は光ディスク、２は光ディスク装置、３はホストコンピュータ等の上位装置、２０１は、光ディスク装置２と上位装置３とを接続するインタフェース・コントローラ、２０２は、記録データや再生データを記憶するバッファメモリ、２０３は光ディスク装置全体の制御を行うマイクロプロセッサ、２０４は、マイクロプロセッサ２０３で用いる制御用データや制御用プログラムを記憶する制御メモリ、２０５は記録用情報の処理を行う記録回路、２０６は再生用情報の処理を行う再生回路、２０７は光ヘッド、２０８はディスクモータを駆動するモータ駆動回路、２０９は、光ディスク１を回転駆動するディスクモータである。マイクロプロセッサ２０３と制御メモリ２０４は制御部を構成する。
【０００８】
上記構成において、記録時は、インタフェース・コントローラ２０１を介し上位装置３から取込んだ記録用情報をバッファメモリ２０２に記憶し、読み出した情報を記録回路２０５で処理し記録用信号を形成する。該形成した記録信号は、光ヘッド２０７により光信号に変換して光ディスク１に記録する。またベリファイ時も含め、再生時は、光ディスク１に記録されている情報を光ヘッド２０７により電気信号に変換して読取り、再生回路２０６で復調処理等の信号処理を行ってバッファメモリ２０２に記憶し、読み出した情報をインタフェース・コントローラ２０１を介し上位装置３に送って、該上位装置３の表示部に表示する。マイクロプロセッサ２０３は、制御メモリ２０４に記憶された情報に基づきバッファメモリ２０２を制御して、記録時及び再生時における情報の記憶と読出しとを制御する。また、該マイクロプロセッサ２０３は、制御メモリ２０４に記憶された制御用データや制御用プログラムによりモータ駆動回路２０８を制御してディスクモータ２０９の回転を制御し、光ディスク１の回転を制御する。該光ディスクの回転は、記録時はＣＬＶ回転とされ、再生時は選択的にＣＬＶ回転またはＣＡＶ回転とされる。
【０００９】
図２は、上記図１の光ディスク装置２における光ヘッド２０７のディスク半径位置とディスク回転状態との関係を示す図である。
図２において、▲１▼は光ヘッド２０７の記録開始位置、▲２▼は、前回の記録終了位置（▲１▼で開始された記録が終了する位置）から所定時間（本実施例では例えば５ｓとする）を経過しないうちにシークして再生を開始する位置、▲３▼は、半径方向の後方側位置に所定幅（本実施例では例えば０．５×１０−３ｍとする）以上の記録済領域がない状態でシークして再生を開始する位置、▲４▼は、上記▲３▼の再生開始後、所定時間（本実施例では例えば５ｓとする）を経過しないうちにシークして再生を開始する位置、▲５▼は、上記▲３▼の再生開始後、所定時間（本実施例では例えば５ｓとする）を経過した後にシークして再生を開始する位置である。
【００１０】
図３は、上記図２の各動作の転送速度を示す図である。
図３において、上記図２の▲１▼で開始する記録動作は光ディスク１（図１）をＣＬＶ回転させて行う。同じく▲２▼で開始する再生動作は光ディスク１をＣＬＶ回転させて該再生動作を開始し、前回の記録終了時点（▲１▼で開始された記録が終了する位置）から所定時間（本実施例では例えば５ｓとする）を経過した時点でＣＬＶ回転状態をＣＡＶ回転状態に切替える。同じく▲３▼で開始する再生動作は光ディスク１をＣＬＶ回転させて行う。同じく▲４▼で開始する再生動作も光ディスク１をＣＬＶ回転させて行う。同じく▲５▼で開始する再生動作は光ディスク１をＣＡＶ回転させて行う。
図４は、図１の光ディスク装置２の再生動作の手順の説明図である。本図４の説明中における構成要素には図１と同じ符号を用いるとする。該手順は全て、マイクロプロセッサ２０３からの制御信号によって行われるとする。
図４において、
（１）上位装置３から再生指示がされた場合、再生動作を開始する（ステップＳ４０１）。
（２）ローディング時に光ディスクの反射率の変化により検出された最終記録位置または自己記録によって記録された最終記録位置のいずれか大きい方をもとに、光ディスクの再生開始位置から半径方向の後方側位置に所定幅（本実施例では０．５×１０−３ｍ）以上の記録済領域があるか否かを判定する（以下、Ａ判定という）（ステップＳ４０２）。該Ａ判定の結果、上記所定幅以上の記録済領域がないときは、ディスクモータ２０９の回転を制御して光ディスク１をＣＬＶ回転の状態とする（ステップＳ４０６）。
（３）上記ステップＳ４０２のＡ判定の結果、上記所定幅以上の記録済領域があるときは、さらに、前回の記録終了時から所定時間（本実施例では５ｓ）以上経過したか否かを判定する（ステップＳ４０３）。該ステップＳ４０３の判定の結果、上記所定時間を経過していないときは、ディスクモータ２０９の回転を制御して光ディスク１をＣＬＶ回転状態のままとする（ステップＳ４０６）。
（４）上記ステップＳ４０３の判定の結果、前回の記録終了時から所定時間（本実施例では５ｓ）以上経過しているときは、さらに、上記ステップＳ４０２のＡ判定で上記所定幅以上の記録済領域がないと判定し再生動作を開始した時点から所定時間（本実施例では５ｓ）が経過したか否かを判定する（ステップＳ４０４）。該ステップＳ４０４の判定の結果、上記所定時間を経過していないときは、ディスクモータ２０９の回転を制御して光ディスク１をＣＬＶ回転状態のままとする（ステップＳ４０６）。
（５）上記ステップＳ４０４の判定の結果、上記再生動作を開始した時点から所定時間（本実施例では５ｓ）が経過しているときは、ディスクモータ２０９の回転を制御して光ディスク１をＣＡＶ回転状態に切替える（ステップＳ４０５）。
【００１１】
（６）さらに、上記ステップＳ４０４の判定結果に基づくＣＡＶ回転状態またはＣＬＶ回転状態で再生動作を行う（ステップＳ４０７）。
（７）現在のディスク回転がＣＬＶ回転か否かを判定する（ステップＳ４０８）。該判定の結果、ＣＬＶ回転でなくＣＡＶ回転であるときは、再生動作を終了させてよいか否かを判定する（ステップＳ４１１）。
（８）上記ステップＳ４０８の判定の結果、現在のディスク回転がＣＬＶ回転のときは、前回の記録終了時点から所定時間（本実施例では５ｓ）以上経過したか否かを判定する（ステップＳ４０９）。該ステップＳ４０９の判定の結果、上記所定時間を経過していないときは、ディスクモータ２０９の回転を制御して光ディスク１をＣＬＶ回転状態のままとして再生動作を終了させてよいか否かを判定する（ステップＳ４１１）。
（９）上記ステップＳ４０９の判定の結果、前回の記録終了時点から所定時間（本実施例では５ｓ）以上経過しているときは、さらに、上記ステップＳ４０２のＡ判定で上記所定幅以上の記録済領域がないと判定し再生動作を開始した時点から所定時間（本実施例では５ｓ）が経過したか否かを判定する（ステップＳ４１０）。該ステップＳ４１０の判定の結果、上記所定時間を経過していないときは、ディスクモータ２０９の回転を制御して光ディスク１をＣＬＶ回転状態のままとし、再生動作を終了させてよいか否かを判定する（ステップＳ４１１）。
（１０）上記ステップＳ４１０の判定の結果、上記所定時間を経過しているときは、再び上記ステップＳ４０２に戻る。
（１１）上記ステップＳ４１１の判定の結果、再生動作を終了させてよい場合は、再生動作を終了する（ステップＳ４１２）。そうでない場合は上記ステップＳ４０７に戻る。
【００１２】
上記実施例によれば、光ディスク装置において、ユーザデータがクローズされていなくとも光ディスクをＣＡＶ回転させた状態での再生が可能となる。このため、ベリファイや再生のための時間を短縮することができる。また、ＣＬＶ回転で再生中も、所定時間が経過すると自動的にＣＡＶ回転に切替わるため、この点からの再生時間を短縮することができる。また、逆に、ＣＬＶ回転に切替え後、所定時間が経過しないうちはＣＡＶ回転への切替えがされないようにしているため、ＣＡＶ回転への切替えの頻度を減らして、ディスクモータの発熱や装置の劣化を抑えることができる。さらに、ＣＡＶ回転状態でのシークを行ったときにも、光ヘッドの未記録領域への突入をなくすることでサーボ外れなどを防ぎ、安定なサーボを確保することができる。
【００１３】
【発明の効果】
本発明によれば、光ディスク装置において、ＣＡＶ回転によりベリファイや再生のための時間を短縮することができる。また、ＣＡＶ回転状態時も、光ヘッドの安定なサーボを確保することができる。
【図面の簡単な説明】
【図１】本発明の実施例としての光ディスク装置の構成例図である。
【図２】図１の光ディスク装置における光ヘッドのディスク半径位置とディスク回転状態との関係を示す図である。
【図３】図２の各動作時の転送速度を示す図である。
【図４】図１の光ディスク装置における再生動作の手順の説明図である。
【符号の説明】
１…光ディスク、  ２…光ディスク装置、  ３…上位装置、  ２０１…インタフェース・コントローラ、  ２０２…バッファメモリ、  ２０３…マイクロプロセッサ、  ２０４…制御メモリ、  ２０５…記録回路、  ２０６…再生回路、  ２０７…光ヘッド、  ２０８…モータ駆動回路、  ２０９…ディスクモータ。
【図１】
2004326928.tif 000003
【図２】
2004326928.tif 000004
【図３】
2004326928.tif 000005
【図４】
2004326928.tif 000006